(57)【要約】好適な実施形態は、媒体アクセス制御層でセカンダリセルビーム失敗が生じたと、ユーザー機器が判定することを含んでもよい。また、プライマリセルの少なくとも候補ビーム測定値に基づいて、１つ以上の他のセカンダリセル候補を、前記ユーザー機器が決定することをさらに含んでもよい。更に、選択された１つ以上の他のセカンダリセル候補に関連する１つ以上のデータパケットを、前記ユーザー機器が送信することをさらに含んでもよい。【選択図】図２
2021521750.tif 000002
【特許請求の範囲】
【請求項１】
セカンダリセルでのビーム失敗が少なくとも媒体アクセス制御層によって判定されていることを判定する手段と、
少なくとも１つのサービングセルの少なくとも候補ビーム測定値に基づいて、１つ以上の他のセカンダリセル候補を決定する手段と、
決定された１つ以上の他のセカンダリセル候補に関連する１つ以上のデータパケットを送信する手段と、
を備える、装置。
【請求項２】
前記決定された他のセカンダリセル候補に関連する前記送信されたデータパケットに基づいて、空間受信フィルタを決定する手段を備える、請求項１に記載の装置。
【請求項３】
前記セカンダリセルの物理層候補ビーム測定を行う手段を備える、請求項１または２に記載の装置。
【請求項４】
前記セカンダリセルの前記物理層候補ビーム測定を行う前に、前記セカンダリセルに対してビーム測定値の要求を送信する手段を備える、請求項３に記載の装置。
【請求項５】
プライマリセルまたはセカンダリセルアップリンクにおける１つ以上のセカンダリセルのために１つ以上の非競合（contention free）プレアンブルを確保する手段を備える、請求項１から４のいずれかに記載の装置。
【請求項６】
プレアンブルリソースの物理ランダムアクセスチャネルから１つ以上の非競合（contention free）プレアンブルを確保する手段を備える、請求項１から５のいずれかに記載の装置。
【請求項７】
媒体アクセス制御の制御要素を使用して、前記セカンダリセルが失敗したことと、前記セカンダリセルに標示されるべき利用可能な候補がないことを標示する手段を備える、請求項１から６のいずれかに記載の装置。
【請求項８】
決定された１つ以上の他のセカンダリセル候補に関連する１つ以上のデータパケットを送信することは、媒体アクセス制御の制御要素を使用して、新候補が標示可能である場合、新セカンダリセル候補の情報を標示することを含む、請求項１から７のいずれかに記載の装置。
【請求項９】
１つ以上のセカンダリセル候補に対応する非競合（contention free）ランダムアクセスリソースが利用可能であるかどうかを判定する手段を備える、請求項１から８のいずれかに記載の装置。
【請求項１０】
１つ以上の非競合（contention free）ランダムアクセスリソースの１つ以上を選択する手段を備える、請求項１から９のいずれかに記載の装置。
【請求項１１】
１つ以上のセカンダリセル候補に対応する非競合（contention free）ランダムアクセスリソースが利用可能でないとの判定に応じて、新候補が標示可能である場合、新セカンダリセル候補の情報を含むセカンダリセルビーム失敗リカバリ媒体アクセス制御の制御要素を生成する手段を備える、請求項１から１０のいずれかに記載の装置。
【請求項１２】
信号品質閾値に基づいて利用可能な候補がないと判定された場合、前記装置は、候補標示なしに、１つ以上のセカンダリセルビーム失敗標示を送信する、請求項１から１１のいずれかに記載の装置。
【請求項１３】
少なくとも１つのサービングセルの少なくとも候補ビーム測定値に基づいて１つ以上の他のセカンダリセル候補を決定することは、前記候補ビーム基準信号品質が前記装置に設定された信号品質閾値以上である場合、セカンダリセル候補を決定することを含む、請求項１から１２のいずれかに記載の装置。
【請求項１４】
前記閾値は、同期信号ブロック検出閾値、またはランダムアクセス手順における定義された閾値「ＳＳＢ閾値」である、請求項１３に記載の装置。
【請求項１５】
前記閾値は、リカバリのために競合式（contention-based）ランダムアクセス信号を選択するために使用されるプライマリセル候補ビーム閾値である、請求項１３に記載の装置。
【請求項１６】
前記閾値は、媒体アクセス制御の制御要素を使用する場合、同期信号ブロック候補またはチャネル状態情報基準信号候補のための報告閾値として使用される、請求項１から１５のいずれかに記載の装置。
【請求項１７】
前記媒体アクセス制御の制御要素は、いくつかの候補ビームに関する情報を含む、請求項１から１６のいずれかに記載の装置。
【請求項１８】
プライマリセルおよび／またはセカンダリセルの失敗の標示を受信する手段と、
セカンダリセルビーム失敗リカバリ媒体アクセス制御の制御要素の受信に応じて、前記セカンダリセルにおけるビーム失敗リカバリへの応答を受信するためのユーザー機器空間受信フィルタを決定する手段と、
前記セカンダリセルの物理層から候補ビーム測定値を選択する手段と、
を備える、装置。
【請求項１９】
同期信号ブロックインデックスを含むプライマリセルおよび／またはセカンダリセルの前記失敗の標示に応じて、標示された同期信号ブロックに対応するチャネル状態情報基準信号設定を提供する手段を備える、請求項１８に記載の装置。
【請求項２０】
測定結果を得るべく、１つ以上のサービングセルの１つ以上の測定を行う手段であって、前記１つ以上のサービングセルは、プライマリおよび／またはセカンダリサービングセルであり、前記測定を行うことは、チャネル状態情報基準信号リソースインデックス、１つ以上の同期信号／物理ブロードキャストチャネル設定インデックス、および１つ以上の対応する基準信号測定結果の内の少なくとも１つを受信することを含み、前記１つ以上の対応する基準信号測定結果は、１つ以上の基準信号受信電力、受信電力測定値、基準信号受信品質、仮想のブロック誤り率、信号対干渉＋雑音比の内の少なくとも１つを含む、前記測定を行う手段と、
前記得られた測定結果に基づくダウンリンク制御情報の受信、または前記得られた測定結果に基づく標示の受信のために、前記セカンダリセルの物理ダウンリンク制御チャネルを監視する手段と、
前記１つ以上のチャネル状態情報基準信号リソースインデックス、１つ以上の同期信号／物理ブロードキャストチャネル設定インデックス、および１つ以上の対応する基準信号測定結果の内の少なくとも１つを報告する手段と、
を備える、装置。
【請求項２１】
前記ダウンリンク制御情報は、次のスロット、または失敗リカバリ要求標示の後に失敗リカバリ応答のユーザー機器物理ダウンリンク制御チャネル監視時から始まる前記セカンダリセルのユーザー機器固有識別子を使用して送信される、請求項２０に記載の装置。
【請求項２２】
復調基準信号アンテナポートがユーザー機器固有サーチスペースにおける物理ダウンリンク制御チャネル受信に関連付けられているとの標示を受信する手段を備える、請求項２０または２１に記載の装置。
【請求項２３】
セカンダリセルでのビーム失敗が少なくとも媒体アクセス制御層によって判定されていることを、ユーザー機器が判定することと、
少なくとも１つのサービングセルの少なくとも候補ビーム測定値に基づいて、１つ以上の他のセカンダリセル候補を、前記ユーザー機器が決定することと、
決定された１つ以上の他のセカンダリセル候補に関連する１つ以上のデータパケットを、前記ユーザー機器が送信することと、
を含む方法。
【請求項２４】
プライマリセルおよび／またはセカンダリセルの失敗の標示を、ネットワークエンティティが受信することと、
セカンダリセルビーム失敗リカバリ媒体アクセス制御の制御要素の受信に応じて、前記セカンダリセルにおけるビーム失敗リカバリへの応答を受信するためのユーザー機器空間受信フィルタを、前記ネットワークエンティティが決定すること、
前記セカンダリセルの物理層から候補ビーム測定値を、前記ネットワークエンティティが選択することと、
を含む方法。
【請求項２５】
測定結果を得るべく、１つ以上のサービングセルの１つ以上の測定を、ユーザー機器が行うことであって、前記１つ以上のサービングセルは、プライマリおよび／またはセカンダリサービングセルであり、前記測定を行うことは、チャネル状態情報基準信号リソースインデックス、１つ以上の同期信号／物理ブロードキャストチャネル設定インデックス、および１つ以上の対応する基準信号測定結果の内の少なくとも１つを受信することを含み、前記１つ以上の対応する基準信号測定結果は、１つ以上の基準信号受信電力、受信電力測定値、基準信号受信品質、仮想のブロック誤り率、信号対干渉＋雑音比の内の少なくとも１つを含む、前記測定を行うことと、
前記得られた測定結果に基づくダウンリンク制御情報の受信、または前記得られた測定結果に基づく標示の受信のために、前記セカンダリセルの物理ダウンリンク制御チャネルを監視することと、
前記１つ以上のチャネル状態情報基準信号リソースインデックス、１つ以上の同期信号／物理ブロードキャストチャネル設定インデックス、および１つ以上の対応する基準信号測定結果の内の少なくとも１つを報告することと、
を含む方法。
【発明の詳細な説明】
【関連出願の相互参照】
【０００１】
本願は、２０１８年５月１０日に出願され、その全体が本明細書に引用により援用される米国特許仮出願第６２／６６９，７１９号の利益を主張する。
【技術分野】
【０００２】
特定の実施形態は、無線通信システムに関し得る。例えば、一部の実施形態は、セカンダリセルに対するビームフォーミング技術に関し得る。
【背景技術の説明】
【０００３】
プライマリセルに対するビーム失敗リカバリ（beam failure recovery）技術のため、ユーザー機器（User Equipment：ＵＥ）は非競合ランダムアクセス（Contention-Free Random Access：ＣＦＲＡ）または競合式ランダムアクセス（Contention-Based Random Access：ＣＢＲＡ）等のランダムアクセスチャネル（Random Access Channel：ＲＡＣＨ）手順を開始してもよい。リンク再設定とも称されるビーム失敗リカバリ技術は、失われたリンク接続を回復し得る。例えば、ビーム失敗リカバリ手順は、１つ以上のサービング制御チャネル（ＰＤＣＣＨ）リンクが失敗状態であることを検出し、リカバリを求め得る。失敗したＰＤＣＣＨリンクを回復するため、ＵＥは、リンク失敗と、あり得るリンク交換を示すために、信号をネットワークに送信し得る。
【０００４】
しかし、プライマリセルと、１つ以上のセカンダリセルとが、異なるビーム失敗検出基準信号で動作するキャリア間での、基準信号を伴うビーム失敗リカバリ技術では課題が生じる。
【摘要】
【０００５】
ある実施形態に従う方法は、セカンダリセルでのビーム失敗が少なくとも媒体アクセス制御層によって判定されていることを、ユーザー機器が判定することを含んでもよい。この方法は、プライマリセルの少なくとも候補ビーム測定値に基づいて、１つ以上の他のセカンダリセル候補を、前記ユーザー機器が決定することをさらに含んでもよい。この方法は、選択された１つ以上の他のセカンダリセル候補に関連する１つ以上のデータパケットを、前記ユーザー機器が送信することをさらに含んでもよい。
【０００６】
ある実施形態に従う方法は、プライマリセルおよび／またはセカンダリセルの失敗の標示を、ネットワークエンティティが受信することを含んでもよい。この方法は、セカンダリセルビーム失敗リカバリ媒体アクセス制御の制御要素の受信に応じて、前記セカンダリセルにおけるビーム失敗リカバリへの応答を受信するためのユーザー機器空間受信フィルタを、前記ネットワークエンティティが決定することをさらに含んでもよい。この方法は、前記セカンダリセルの物理層から候補ビーム測定値を、前記ネットワークエンティティが選択することをさらに含んでもよい。
【０００７】
ある実施形態に従う方法は、１つ以上のサービングセルの１つ以上の測定を、ユーザー機器が行うことを含んでもよい。前記１つ以上のサービングセルは、プライマリおよび／またはセカンダリサービングセルである。この方法は、チャネル状態情報基準信号リソースインデックス、１つ以上の同期信号／物理ブロードキャストチャネル設定インデックス、および１つ以上の対応する基準信号測定結果を、ネットワークから受信することをさらに含んでもよい。前記１つ以上の対応する基準信号測定結果は、基準信号受信電力、受信電力測定値、基準信号受信品質、仮想のブロック誤り率、信号対干渉＋雑音比の内の１つ以上を含む。この方法は、送信された測定結果に基づくダウンリンク制御情報の受信、または得られた測定結果に基づく標示の受信のために、前記セカンダリセルの物理ダウンリンク制御チャネルを監視することをさらに含んでもよい。この方法は、前記１つ以上のチャネル状態情報基準信号リソースインデックス、１つ以上の同期信号／物理ブロードキャストチャネル設定インデックス、および１つ以上の対応する基準信号測定結果を報告することをさらに含んでもよい。
【０００８】
ある実施形態に従う装置は、セカンダリセルビーム失敗が少なくとも媒体アクセス制御層によって判定されていることを判定する手段を備えてもよい。この装置は、プライマリセルの少なくとも候補ビーム測定値に基づいて、１つ以上の他のセカンダリセル候補を決定する手段をさらに備えてもよい。この装置は、選択された１つ以上の他のセカンダリセル候補に関連する１つ以上のデータパケットを送信する手段をさらに備えてもよい。
【０００９】
ある実施形態に従う装置は、プライマリセルおよび／またはセカンダリセルの失敗の標示を受信する手段を備えてもよい。この装置は、セカンダリセルビーム失敗リカバリ媒体アクセス制御の制御要素の受信に応じて、前記セカンダリセルにおけるビーム失敗リカバリへの応答を受信するためのユーザー機器空間受信フィルタを決定する手段をさらに備えてもよい。この装置は、前記セカンダリセルの物理層から候補ビーム測定値を選択する手段をさらに備えてもよい。
【００１０】
ある実施形態に従う装置は、１つ以上のサービングセルの１つ以上の測定を行う手段を備えてもよい。前記１つ以上のサービングセルは、プライマリおよび／またはセカンダリサービングセルである。この装置は、ネットワークから、チャネル状態情報基準信号リソースインデックス、１つ以上の同期信号／物理ブロードキャストチャネル設定インデックス、および１つ以上の対応する基準信号測定結果を受信する手段をさらに備えてもよい。前記１つ以上の対応する基準信号測定結果は、基準信号受信電力、受信電力測定値、基準信号受信品質、仮想のブロック誤り率、信号対干渉＋雑音比の内の１つ以上を含む。この装置は、送信された測定結果に基づくダウンリンク制御情報の受信、または得られた測定結果に基づく標示の受信のために、前記セカンダリセルの物理ダウンリンク制御チャネルを監視する手段をさらに備えてもよい。この装置は、前記１つ以上のチャネル状態情報基準信号リソースインデックス、１つ以上の同期信号／物理ブロードキャストチャネル設定インデックス、および１つ以上の対応する基準信号測定結果を報告する手段をさらに備えてもよい。
【００１１】
ある実施形態に従う装置は、少なくとも１つのプロセッサと、コンピュータプログラムコードを含む少なくとも１つのメモリと、を備えてもよい。前記コンピュータプログラムコードは、前記少なくとも１つのプロセッサに実行されると、前記装置に少なくとも、セカンダリセルビーム失敗が少なくとも媒体アクセス制御層によって判定されていることを判定することを実施させるように構成されてもよい。前記コンピュータプログラムコードは、前記少なくとも１つのプロセッサに実行されると、前記装置に少なくとも、プライマリセルの少なくとも候補ビーム測定値に基づいて、１つ以上の他のセカンダリセル候補を決定することをさらに実施させるように構成されてもよい。前記コンピュータプログラムコードは、前記少なくとも１つのプロセッサに実行されると、前記装置に少なくとも、選択された１つ以上の他のセカンダリセル候補に関連する１つ以上のデータパケットを送信することをさらに実施させるように構成されてもよい。
【００１２】
ある実施形態に従う装置は、少なくとも１つのプロセッサと、コンピュータプログラムコードを含む少なくとも１つのメモリと、を備えてもよい。前記コンピュータプログラムコードは、前記少なくとも１つのプロセッサに実行されると、前記装置に少なくとも、プライマリセルおよび／またはセカンダリセルの失敗の標示を受信することを実施させるように構成されてもよい。前記コンピュータプログラムコードは、前記少なくとも１つのプロセッサに実行されると、前記装置に少なくとも、セカンダリセルビーム失敗リカバリ媒体アクセス制御の制御要素の受信に応じて、前記セカンダリセルにおけるビーム失敗リカバリへの応答を受信するためのユーザー機器空間受信フィルタを決定することをさらに実施させるように構成されてもよい。前記コンピュータプログラムコードは、前記少なくとも１つのプロセッサに実行されると、前記装置に少なくとも、前記セカンダリセルの物理層から候補ビーム測定値を選択することをさらに実施させるように構成されてもよい。
【００１３】
ある実施形態に従う装置は、少なくとも１つのプロセッサと、コンピュータプログラムコードを含む少なくとも１つのメモリと、を備えてもよい。前記コンピュータプログラムコードは、前記少なくとも１つのプロセッサに実行されると、前記装置に少なくとも、１つ以上のサービングセルの１つ以上の測定を行うことを実施させるように構成されてもよい。前記１つ以上のサービングセルは、プライマリおよび／またはセカンダリサービングセルである。前記コンピュータプログラムコードは、前記少なくとも１つのプロセッサに実行されると、前記装置に少なくとも、ネットワークから、チャネル状態情報基準信号リソースインデックス、１つ以上の同期信号／物理ブロードキャストチャネル設定インデックス、および１つ以上の対応する基準信号測定結果を受信することをさらに実施させるように構成されてもよい。前記１つ以上の対応する基準信号測定結果は、基準信号受信電力、受信電力測定値、基準信号受信品質、仮想のブロック誤り率、信号対干渉＋雑音比の内の１つ以上を含む。前記コンピュータプログラムコードは、前記少なくとも１つのプロセッサに実行されると、前記装置に少なくとも、送信された測定結果に基づくダウンリンク制御情報の受信、または得られた測定結果に基づく標示の受信のために、前記セカンダリセルの物理ダウンリンク制御チャネルを監視することをさらに実施させるように構成されてもよい。前記コンピュータプログラムコードは、前記少なくとも１つのプロセッサに実行されると、前記装置に少なくとも、前記１つ以上のチャネル状態情報基準信号リソースインデックス、１つ以上の同期信号／物理ブロードキャストチャネル設定インデックス、および１つ以上の対応する基準信号測定結果を報告することをさらに実施させるように構成されてもよい。
【００１４】
ある実施形態に従うコンピュータプログラムは、ハードウェアの処理手段に実行されると、次のような方法を具現化してもよい。この方法は、セカンダリセルビーム失敗が少なくとも媒体アクセス制御層によって判定されていることを判定してもよい。この方法はさらに、プライマリセルの少なくとも候補ビーム測定値に基づいて、１つ以上の他のセカンダリセル候補を判定してもよい。この方法はさらに、選択された１つ以上の他のセカンダリセル候補に関連する１つ以上のデータパケットを送信してもよい。
【００１５】
ある実施形態に従うコンピュータプログラムは、ハードウェアの処理手段に実行されると、次のような方法を具現化してもよい。この方法は、プライマリセルおよび／またはセカンダリセルの失敗の標示を受信してもよい。この方法はさらに、セカンダリセルビーム失敗リカバリ媒体アクセス制御の制御要素の受信に応じて、前記セカンダリセルにおけるビーム失敗リカバリへの応答を受信するためのユーザー機器空間受信フィルタを決定してもよい。この方法はさらに、前記セカンダリセルの物理層から候補ビーム測定値を選択してもよい。
【００１６】
ある実施形態に従うコンピュータプログラムは、ハードウェアの処理手段に実行されると、次のような方法を具現化してもよい。この方法は、１つ以上のサービングセルの１つ以上の測定を行ってもよい。前記１つ以上のサービングセルは、プライマリおよび／またはセカンダリサービングセルである。この方法はさらに、ネットワークから、チャネル状態情報基準信号リソースインデックス、１つ以上の同期信号／物理ブロードキャストチャネル設定インデックス、および１つ以上の対応する基準信号測定結果を受信してもよい。前記１つ以上の対応する基準信号測定結果は、基準信号受信電力、受信電力測定値、基準信号受信品質、仮想のブロック誤り率、信号対干渉＋雑音比の内の１つ以上を含む。この方法はさらに、送信された測定結果に基づくダウンリンク制御情報の受信、または得られた測定結果に基づく標示の受信のために、前記セカンダリセルの物理ダウンリンク制御チャネルを監視してもよい。この方法はさらに、前記１つ以上のチャネル状態情報基準信号リソースインデックス、１つ以上の同期信号／物理ブロードキャストチャネル設定インデックス、および１つ以上の対応する基準信号測定結果を報告してもよい。
【００１７】
ある実施形態に従うコンピュータプログラム製品は、次のような方法を具現化してもよい。この方法は、セカンダリセルビーム失敗が少なくとも媒体アクセス制御層によって判定されていることを判定してもよい。この方法はさらに、プライマリセルの少なくとも候補ビーム測定値に基づいて、１つ以上の他のセカンダリセル候補を決定してもよい。この方法はさらに、選択された１つ以上の他のセカンダリセル候補に関連する１つ以上のデータパケットを送信してもよい。
【００１８】
ある実施形態に従うコンピュータプログラム製品は、次のような方法を具現化してもよい。この方法は、プライマリセルおよび／またはセカンダリセルの失敗の標示を受信してもよい。この方法はさらに、セカンダリセルビーム失敗リカバリ媒体アクセス制御の制御要素の受信に応じて、前記セカンダリセルにおけるビーム失敗リカバリへの応答を受信するためのユーザー機器空間受信フィルタを決定してもよい。この方法はさらに、前記セカンダリセルの物理層から候補ビーム測定値を選択してもよい。
【００１９】
ある実施形態に従うコンピュータプログラム製品は、次のような方法を具現化してもよい。この方法は、１つ以上のサービングセルの１つ以上の測定を行ってもよい。前記１つ以上のサービングセルは、プライマリおよび／またはセカンダリサービングセルである。この方法はさらに、ネットワークから、チャネル状態情報基準信号リソースインデックス、１つ以上の同期信号／物理ブロードキャストチャネル設定インデックス、および１つ以上の対応する基準信号測定結果を受信してもよい。前記１つ以上の対応する基準信号測定結果は、基準信号受信電力、受信電力測定値、基準信号受信品質、仮想のブロック誤り率、信号対干渉＋雑音比の内の１つ以上を含む。この方法はさらに、送信された測定結果に基づくダウンリンク制御情報の受信、または得られた測定結果に基づく標示の受信のために、前記セカンダリセルの物理ダウンリンク制御チャネルを監視してもよい。この方法はさらに、前記１つ以上のチャネル状態情報基準信号リソースインデックス、１つ以上の同期信号／物理ブロードキャストチャネル設定インデックス、および１つ以上の対応する基準信号測定結果を報告してもよい。
【００２０】
ある実施形態に従う装置は、セカンダリセルビーム失敗が少なくとも媒体アクセス制御層によって判定されていることを判定するように構成された回路体を備えてもよい。前記回路体はさらに、プライマリセルの少なくとも候補ビーム測定値に基づいて、１つ以上の他のセカンダリセル候補を決定してもよい。前記回路体はさらに、選択された１つ以上の他のセカンダリセル候補に関連する１つ以上のデータパケットを送信してもよい。
【００２１】
ある実施形態に従う装置は、プライマリセルおよび／またはセカンダリセルの失敗の標示を受信するように構成された回路体を備えてもよい。前記回路体はさらに、セカンダリセルビーム失敗リカバリ媒体アクセス制御の制御要素の受信に応じて、前記セカンダリセルにおけるビーム失敗リカバリへの応答を受信するためのユーザー機器空間受信フィルタを決定してもよい。前記回路体はさらに、前記セカンダリセルの物理層から候補ビーム測定値を選択してもよい。
【００２２】
ある実施形態に従う装置は、１つ以上のサービングセルの１つ以上の測定を行うように構成された回路体を備えてもよい。前記１つ以上のサービングセルは、プライマリおよび／またはセカンダリサービングセルである。前記回路体はさらに、ネットワークから、チャネル状態情報基準信号リソースインデックス、１つ以上の同期信号／物理ブロードキャストチャネル設定インデックス、および１つ以上の対応する基準信号測定結果を受信してもよい。前記１つ以上の対応する基準信号測定結果は、基準信号受信電力、受信電力測定値、基準信号受信品質、仮想のブロック誤り率、信号対干渉＋雑音比の内の１つ以上を含む。前記回路体はさらに、送信された測定結果に基づくダウンリンク制御情報の受信、または得られた測定結果に基づく標示の受信のために、前記セカンダリセルの物理ダウンリンク制御チャネルを監視してもよい。前記回路体はさらに、前記１つ以上のチャネル状態情報基準信号リソースインデックス、１つ以上の同期信号／物理ブロードキャストチャネル設定インデックス、および１つ以上の対応する基準信号測定結果を報告してもよい。
【図面の簡単な説明】
【００２３】
本開示を正しく理解するために、下記の添付の図を参照されたい。
【図１】特定の実施形態に係るシステムの一例を示す。
【図２】特定の実施形態に係るユーザー機器によって実施される方法の一例を示す。
【図３】特定の実施形態に係るネットワークエンティティによって実施される方法の一例を示す。
【図４】特定の実施形態に係るユーザー機器によって実施されるリンク再設定のための方法の一例を示す。
【図５】特定の実施形態に係るシステムの一例を示す。
【詳細説明】
【００２４】
本明細書の全体にわたって記載された特定の実施形態の特性、構成、または特徴は、１つ以上の実施形態において任意の形で組み合わされてもよい。例えば、本明細書の全体にわたって記載された「特定の実施形態」、「一部の実施形態」、「別の実施形態」、または同様の表現は、その実施形態に関連して記載された特定の特性、構成、または特徴が、本発明の少なくとも１つの実施形態に含まれていてもよいことを示している。したがって、本明細書の全体にわたって記載された「特定の実施形態」、「一部の実施形態」、「別の実施形態」、または同様の表現により、必ずしも同じ群の実施形態を示しているわけではなく、記載された特性、構成、または特徴は、１つ以上の実施形態において任意の好適な形で組み合わされてもよい。
【００２５】
本明細書に記載の特定の実施形態は、大きな技術的利点をもたらし得る。例えば、特定の実施形態は、ネットワークが仮定された候補を、新たな送信設定標示（Transmission Configuration Indication：ＴＣＩ）状態として示す場合に、パネル活動遅延を回避し得る。さらに、リンクが使用可能であり、プライマリセルを使用して媒体アクセス制御（ＭＡＣ）の制御要素（ＣＥ）を認証する必要があることを確認するＭＡＣのＣＥを送信するために、セカンダリセルシグナリングが使用され得る。
【００２６】
ネットワークが、ユーザー機器が現状アラインメントされていない、ＰＤＣＣＨ  ＴＣＩ状態を起動すると判定する場合（ネットワークにより示された新たなＴＣＩ状態にアラインメントが対応しない等）、ネットワークはプライマリセルダウンリンクを使用して、新ＴＣＩ状態をユーザー機器にシグナリングしてもよい。
【００２７】
例えば、図１は、チャネル状態情報基準信号（ＣＳＩ−ＲＳ）に基づく失敗状態にある同期信号ブロックがなく、セカンダリセルにおける新たなＣＳＩ−ＲＳ候補を一切ＵＥが示すことができないセカンダリセルの例を示す。セカンダリセルは同期信号ブロックを有さないため、ユーザー機器は送信されるセカンダリセルに固有な周期的信号により、フォールバック候補を想定できない。この例では、デュアルコネクティビティの状況においてプライマリセル、マスタセルグループ、またはセカンダリセルグループのプライマリセカンダリセルは、セカンダリリカバリ手順に利用可能であるものとする。そのような通信システムでは、進化型ノードＢ（evolved Node B：ｅＮＢ）、次世代型ノードＢ（ｇＮＢ）等の基地局、またはその他ネットワークエンティティが、ユーザー機器との通信を担ってもよい。
【００２８】
プライマリセルおよびセカンダリセルが同一の周波数および帯域で動作している場合、新無線（ＮＲ）技術によりセカンダリセルで同期信号ブロックが送信されないキャリアアグリゲーションが設定可能である。同期信号ブロック（Synchronization Signal Block：ＳＳＢ）および同期信号／物理ブロードキャストチャネル（Synchronization Signal/Physical Broadcast Channel：ＳＳ／ＰＢＣＨ）ブロックは、ＰＳＳおよびＳＳＳ信号を含む。物理ブロードキャストチャネルはＰＢＣＨおよびＤＭＲＳを含む。さらに、ＳＳＢはセル識別子（物理セルＩＦ（Physical Cell ID：ＰＣＩ））を搬送し得、セルの特定のＳＳＢが、ＳＳＢインデックスまたはＳＳＢリソースインデックス、またはＳＳＢ時間位置インデックスに基づいて識別可能である。プライマリセルおよびセカンダリセルのビームマネジメント用のＣＳＩ−ＲＳ設定は、空間および／またはその他種類のＱＣＬ参照に対するプライマリセル同期信号ブロックを使用して、セカンダリセルで同期信号ブロックが送信されないコンポーネントキャリア間で実施され得る。
【００２９】
ＣＳＩ−ＲＳは、特にＰＤＣＣＨ−ＴＣＩＳｔａｔｅ設定がキャリア固有の場合に、ＵＥキャリアに対して設定され得る。これにより、ネットワークは、ＰＤＣＣＨ−ＴＣＩＳｔａｔｅの重複なく、各セル／キャリアを設定可能となる。これにより、ｑ０のセットと称され得るビーム失敗検出リソースが得られる。このセットは、セル間で重複しないＳＳＢおよび／またはＣＳＩ−ＲＳリソースインデックスを含んでもよい。すなわち、ｑ０＿ＰＣｅｌｌ！＝ｑ０＿ＳＣｅｌｌである。ここで、ｑ０＿ＰＣｅｌｌはＰＣｅｌｌ失敗検出リソースを示し、ｑ０＿ＳＣｅｌｌはＳＣｅｌｌ失敗検出リソースを示し、ｑ０の暗示的設定はＰＤＣＣＨビーム標示に基づく。同様に、明示的ｑ０設定により、ＰＣｅｌｌおよびＳＣｅｌｌの失敗検出リソースは異なり得る。例えば、ＰＣｅｌｌとＳＣｅｌｌに、異なるＰＤＣＣＨビーム／ＴＣＩ状態が使用される。一部の実施形態では、２つのサービングセル（ＳＣｅｌｌまたはＰＣｅｌｌ）の失敗検出リソースは異なり得る。したがって、プライマリセル失敗が、セカンダリセル失敗に自動的に対応しない。
【００３０】
一例として図２は、図５のユーザー機器５１０等のユーザー機器により実行される方法を示す。ステップ２０１において、ユーザー機器は、媒体アクセス制御層（その他層も排除されない）で、セカンダリセルビーム失敗が生じたと判定してもよい。ステップ２０３において、ユーザー機器は、例えばＣＳＩ−ＲＳおよびＳＳ／ＰＢＣＨブロック（ビーム固有測定）である、セカンダリセルダウンリンク基準信号に候補ビーム測定を実行してもよい。候補ビーム測定は、ＲＳＲＰ、ＲＳＲＱ、ＳＩＮＲ、仮想のＰＤＣＣＨ  ＢＬＥＲ等のＬ１測定、またはその他Ｌ１測定を含んでもよい。一部の実施形態では、ユーザー機器の物理層は、ＳＳＢ等のセカンダリセル信号に候補ビーム測定を行ってもよい。ステップ２０５において、ユーザー機器は、セカンダリセルにおいて利用可能な候補がなく、プライマリセルが失敗状態でないと判定してもよい。プライマリセルが失敗状態であれば、ＵＥはプライマリセルのリカバリをまず優先してもよい。ステップ２０７において、ユーザー機器は、少なくともプライマリセルにおける候補ビーム測定に基づいて、セカンダリセルの１つ以上の他の候補ビームを決定してもよい。ステップ２０９において、ユーザー機器は、セカンダリセルの１つ以上の候補ビームに対応するビーム失敗リカバリに対する非競合ランダムアクセス（Contention-Free Random Access：ＣＦＲＡ）リソースが利用可能であるかを判定してもよい。ステップ２１１において、１つ以上のセカンダリセル候補に対応する非競合ランダムアクセスリソースが利用可能であるとの判定に応じて、ユーザー機器は、１つ以上の非競合ランダムアクセスリソースを選択してもよい。ステップ２１３において、ユーザー機器は、選択された１つ以上の他のセカンダリセル候補ビームの１つ以上の標示を送信してもよい。これらＣＦＲＡ信号は、ＳＣｅｌｌアップリンクシグナリングリソースまたはＰＣｅｌｌシグナリングリソース（または任意のサービングセルアップリンクリソース）にマッピングされてもよい。
【００３１】
図３は、図５におけるネットワークエンティティ５２０および／またはネットワークエンティティ５３０等のネットワークエンティティで実行される方法を示す。ステップ３０１において、ネットワークエンティティは、失敗の標示を受信してもよい。一部の実施形態では、この失敗の標示は、セカンダリセルビーム失敗を標示してもよい。別の実施形態では、失敗の標示は、障害の起きたセカンダリセルの１つ以上の新候補リソースを示す媒体アクセス制御の制御要素を含んでもよい。ステップ３０３において、セカンダリセルビーム失敗リカバリ媒体アクセス制御の制御要素の受信に応じて、ネットワークエンティティは、セカンダリセルにおけるビーム失敗リカバリへの応答を受信するためのユーザー機器空間受信フィルタを決定してもよい。
【００３２】
ステップ３０５において、ネットワークエンティティは、新送信設定標示状態設定（ＰＤＣＣＨ用）を送信するための１つ以上のプライマリセルおよび１つ以上のセカンダリセルを選択してもよい。各種実施形態において、同期信号ブロックインデックスがＵＥに新候補ビームとして示された場合、ネットワークエンティティは、同期信号ブロックに対応するチャネル状態情報基準信号設定を提供し得る。このようにして、ネットワークはＵＥが示したＳＳブロック候補に基づくビーム改良を開始し得る。あるいは、ＵＥはＣＳＩ−ＲＳを示し、ネットワークはより改良したビームに対応する追加の基準信号を設定することで、ビーム改良を開始し得る。ビーム改良は、より改良した、または狭いビーム（通常、より高いビームフォーミングゲインを有するが、空間カバレッジはより狭い）に対する測定値に対するフィードバックがＵＥに求められる手順を示す。これにより、通信品質が向上し得る。
【００３３】
図４は、図５のユーザー機器５１０等のユーザー機器により実行される方法の別の例を示す。一部の実施形態では、図４で説明する方法は、図２で説明する方法と組み合わせて実行されてもよい。ステップ４０１において、ユーザー機器は、ネットワークエンティティ５２０等の１つ以上のプライマリセル、および／またはネットワークエンティティ５３０等のセカンダリセルに対して、候補ビーム測定を行ってもよい。一例において、ユーザー機器のＭＡＣ層は、特定の信号に対して、当該測定を実行するように、ＰＨＹ（物理層）に要求し得る。あるいは、要求なしで、ＰＨＹは測定を実行する。すなわち、特定の信号に対して測定結果が得られると、ＵＥは検出した信号に測定を実行する。
【００３４】
ステップ４０３において、ユーザー機器は、１つ以上のプライマリセルおよび／またはセカンダリセルについての測定値を、サービングセル（例えば、ＰＣｅｌｌおよび／または１つ以上のＳＣｅｌｌ）の１つ以上、またはそれぞれに報告してもよい。一部の実施形態において、この報告は、１つ以上のチャネル状態情報基準信号リソースインデックス、１つ以上の同期信号／物理ブロードキャストチャネルリソースインデックス、１つ以上の対応する基準信号受信電力測定（Ｌ１−ＲＳＲＰまたはＲＳＲＰ等）を含んでもよい。測定はさらに、ＭＡＣ制御要素またはＲＲＣシグリングを使用して実行されてもよい。測定量測定値は、ＲＳＲＰ、ＲＳＲＱ、仮想のＰＤＣＣＨ  ＢＬＥＲ、またはＳＩＮＲ等を含んでもよい。
【００３５】
一部の実施形態では、ユーザー機器が利用可能なセカンダリセル候補信号がないとの判定に応じて（ＣＦＲＡシグリングまたはＭＡＣのＣＥを使用して示された場合等）、ユーザー機器は、障害の発生したセカンダリセルに関連付けられたキャリア間疑似同位置仮定を有するプライマリセル基準信号の１つ以上の測定値を提供し得る。疑似同位置は空間ＲＸ仮定であってもよい。すなわち、ＵＥが、ＳＣｅｌｌ（または別のサービングセルに基づく任意のサービングセル）が、ＰＣｅｌｌと同じＲＸビームで受信されるための空間ＲＸ仮定を有する信号を判定する場合等である。その他種類のＱＣＬも除外されない。信号が互いに同一のＱＣＬ仮定を共有する場合、それらの間で遅延スプレッド、ドップラースプレッド、ドップラーシフト、平均遅延、および／または空間受信パラメータ等の、同じ指示特性が共有されることを意味する。一例として、信号が空間ＲＸ  ＱＣＬ仮定を有する場合、ＵＥが信号受信時に、同一のＲＸビーム（ＲＸ空間フィルタ設定）を仮定できることを意味する。空間ＲＸフィルタ設定の判定は、ビーム失敗リカバリ要求のための指示されたリソースおよび／または上位層による選択されたリソース標示（すなわち、ＭＡＣがどのリソースが選択されたかをＰＨＹ層に示す）に基づき得る。
【００３６】
一部の実施形態では、ＳＣｅｌｌビーム失敗が、ＢＦＤ−ＲＳとして設定された１つ以上のＣＳＩ−ＲＳに基づいて検出されてもよい。障害が生じたＳＣｅｌｌに対応付けられた有効なアップリンク接続を有するＰＣｅｌｌおよび／またはＳＣｅｌｌが失敗状態ではなく、ＳＣｅｌｌ上に適切なＣＳＩ−ＲＳ候補ビームが存在しない（すなわち、検出できない）ような失敗が検出され得る。ＵＥは、ｑ０  ＳＣｅｌｌセットにおけるＣＳＩ−ＲＳに基づいてＳＣｅｌｌビーム失敗を検出し得、ＵＥはＳＣｅｌｌに対するＣＳＩ−ＲＳ測定により、新候補ビームを一切明示的に示すことができない。これにより、ＵＥは１つ以上のＳＣｅｌｌのＰＣｅｌｌ  ＳＳＢおよび／またはＣＳＩ−ＲＳ信号に対して空間ＱＣＬを仮定し、１つ以上の技術を使用して１つ以上のＳＣｅｌｌ候補を判定してもよい。これについては後述する。
【００３７】
例えば、ＰＣｅｌｌに対するＰＤＣＣＨについて、有効ＴＣＩＳｔａｔｅとして現在設定されているＳＳＢ（ＳＳ／ＰＢＣＨブロック）が、障害が生じたＳＣｅｌｌのキャリア間空間ＱＣＬを有すると判定されると、ＵＥはそのＳＳＢを候補として選択して標示してもよい。ＰＤＣＣＨに対するＴＣＩＳｔａｔｅとして、複数のＳＳＢが設定される場合、ＵＥは測定に基づいて最高信号品質のＳＳＢを選択してもよい。
【００３８】
別の例では、キャリア間空間ＱＣＬがＰＣｅｌｌのＰＤＣＣＨに対する有効ＴＣＩＳｔａｔｅとして設定されたＣＳＩ−ＲＳに決定された場合、ＵＥはＱＣＬ決定に基づいて、対応するＳＳＢを新候補として選択してもよい。この例では、ＳＳＢがＣＳＩ−ＲＳのソースＱＣＬ参照として設定され得る。すなわち、空間ＲＸ等の同一の指示ＱＣＬパラメータを共有する場合である。
【００３９】
別の例示的状況として、ＰＣｅｌｌのＰＤＣＣＨに対する有効ＴＣＩＳｔａｔｅとして設定されたＳＳＢに対してキャリア間空間ＱＣＬが仮定され、ＰＣｅｌｌ内のＣＳＩ−ＲＳリソースに対応付けられた空間ＱＣＬが存在する場合が挙げられる。この例では、ＵＥは利用可能なＳＳＢおよびＣＳＩ−ＲＳの１つ以上の組合せを選択してもよい。このＳＳＢ／ＣＳＩ−ＲＳグループは、当該グループ内のＱＣＬ  ＳＳＢおよびＣＳＩ−ＲＢリソース間でアグリゲートされたＬ１−ＲＳＲＰに応じて、ＰＣｅｌｌと同じ空間ＱＣＬ仮定を共有する。アグリゲートされたＬ１−ＲＳＲＰは、同じグループのＳＳＢおよびＣＳＩ−ＲＳの両方のＲＳＲＰ測定値から構成され得る。
【００４０】
さらに、キャリア間空間ＱＣＬがＰＣｅｌｌの有効ＴＣＩＳｔａｔｅＰＤＣＣＨとして現在設定されたＣＳＩ−ＲＳに対して仮定された場合、ＵＥはＱＣＬ仮定により、新候補として対応するＳＳブロックを選択してもよい。
【００４１】
最後に、ＳＣｅｌｌでビーム失敗が検出され、キャリア間空間ＱＣＬがＰＣｅｌｌ  ＳＳブロック（またはビーム失敗リカバリシグナリングに対するアップリンクを有するサービングセル）に対して仮定され、失敗したＣＳＩ−ＲＳビームに対応する１つ以上のＳＳブロックがＴＨ１等の１つ以上の閾値を超える場合、１つ以上のＳＳブロックが新候補として選択され、ネットワークに示され得る。一部の実施形態では、閾値は固定されてもよく、あるいは有効ＴＣＩＳｔａｔｅＰＤＣＣＨとして、またはＱＣＬを通じて設定された特定のＳＳブロックに応じ得る。この例示的閾値はネットワークにより設定され得る。ＴＨ１は、ＣＦＲＡ  ＢＦＲに対して設定された候補ビーム閾値でもあり得、あるいはランダムアクセス用の適切なＳＳブロックの選択のためのＲＡＣＨ手順で設定されたＴＨであり得る。別の閾値が除外されるものではない。複数のＳＳＢがネットワークに示され得る。また、障害の起きたＳＣｅｌｌに対する空間ＲＸ仮定に対して（ＵＥがＲＸ空間フィルタをＳＣｅｌｌに対して、ＰＣｅｌｌ上のＳＳＢのＲＸ仮定に応じて設定する）、ＵＥは報告された最高のＳＳＢを選択してもよい。この場合、選択された１つのＳＳＢのみが候補として示される。上述の方法はＣＳＩ−ＲＳ信号にも同様に適用され得る。
【００４２】
最後に、ＳＣｅｌｌでビーム失敗が検出され、キャリア間空間ＱＣＬがＳＳブロックに対して仮定され、失敗したＣＳＩ−ＲＳビームに対応するＳＳブロックがＴＨ１等の１つ以上の閾値を超える場合、ＳＳブロックが新候補として選択され得る。一部の実施形態では、閾値は固定されてもよく、あるいは有効ＴＣＩＳｔａｔｅＰＤＣＣＨとして、またはＱＣＬを通じて構成された特定のＳＳブロックの信号レベルに応じ得る。したがって閾値は、特定のＳＳＢ（例えば、特定のＳＳＢ信号レベルに比較したＸ  ｄＢ／ｍＷのように、ネットワークが相対的オフセットを設定し得る場合）またはネットワークが設定した絶対値に応じ得る。
【００４３】
一部の実施形態では、ＵＥ受信空間フィルタは、空間ＱＣＬ仮定を通じて、ＳＣｅｌｌのＰＤＣＣＨ  ＤＭＲＳが、示されたＣＳＩ−ＲＳの選択されたＰＣｅｌｌ  ＳＳブロック、ＣＳＩ−ＲＳ、および／またはＳＳブロックと空間的に疑似同位置であると仮定するように構成され得る。
【００４４】
ステップ４０５において、ユーザー機器がプライマリセルからの１つ以上のチャネル状態情報基準信号リソースおよび／または同期信号／物理ブロードキャストチャネルブロックインデックスを示すことに応じて、ユーザー機器は、ダウンリンク制御情報の受信のためのセカンダリセル物理ダウンリンク制御チャネルを監視する。ダウンリンク制御情報はセカンダリセルに対するＵＥ固有識別子を使用して送信され得る（例えば、無線ネットワーク一時識別子でスクランブリングされた巡回冗長検査）。ＵＥは、候補の標示へのネットワーク応答の監視を開始し得る（例えば、標示送信後の次のスロットまたはＮスロット後から開始、またはリカバリ要求の標示後の次のＰＤＣＣＨ監視時から開始、または、応答監視は、ＮＷ設定遅延を考慮し得る）。一例において、この遅延はアンテナパネル起動遅延、すなわち、標示後、ＵＥはＳＣｅｌｌの受信が可能となるまでＫミリ秒要する。選択されて示された基準信号（候補ビーム）に基づいて、ＵＥはＳＣｅｌｌに対して、遅延スプレッド、ドップラースプレッド、ドップラーシフト、平均遅延、および／または空間受信パラメータの１つ以上に関して、選択された周期的チャネル状態情報基準信号リソースまたは同期信号／物理ブロードキャストチャネルブロックインデックスと疑似同位置であれば、復調基準信号アンテナポートがＵＥ固有サーチスペースにおけるＰＤＣＣＨ受信に関連付けられると仮定し得る。一部の実施形態では、互いに同一のＱＣＬ仮定を共有する信号は、遅延スプレッド、ドップラースプレッド、ドップラーシフト、平均遅延、および／または空間受信パラメータ等の１つ以上の特性を共有し得る。
【００４５】
一部の実施形態では、ＳＣｅｌｌの障害に応じて、ネットワークに、新候補ビームとして１つ以上のチャネル状態情報基準信号またはＳＳブロックを示す前に、ユーザー機器はビーム失敗前の疑似同位置仮定によりＰＤＣＣＨを監視し得る。
【００４６】
ステップ４０７において、ユーザー鬼気は、ユーザー機器がＴＣＩ状態および／またはＰＤＣＣＨパラメータのためのＴＣＩ−Ｓｔａｔｅｓの有効化を受信するまで、プライマリまたはセカンダリセル上でＰＤＣＣＨを監視するために、アンテナポート疑似同位置パラメータが有効であると仮定する。ステップ４０９において、ＰＤＳＣＨ受信時に、ユーザー機器は、ユーザー機器がＴＣＩ状態および／またはＰＤＣＣＨパラメータのためのＴＣＩ−Ｓｔａｔｅｓの有効化を上位層から受信するまで、ＰＤＣＣＨの監視に同じアンテナポート疑似同位置パラメータを使用し得る。
【００４７】
一実施形態では、１つ以上のセカンダリセルに対する１つ以上の非競合プレアンブルが、プライマリセルまたはセカンダリセルアップリンク上で確保され得る。サービングセルアップリンクでは、デュアルコネクティビティにおいてサービングセルが別のＰＣｅｌｌであり得る（ＳｐＣｅｌｌとも称される）。これは、プレアンブルリソース（ＰＲＡＣＨリソースセット）の物理ランダムアクセスチャネルと称され得る。確保されたプレアンブルは、障害の起きたセカンダリセルに対するキャリア間空間疑似同位置（Quasi Co-Location：ＱＣＬ）仮定を有する同期信号ブロック／ＣＳＩ−ＲＳにマッピングされ得る。一部の実施形態では、互いに同一のＱＣＬ仮定を共有する信号は、遅延スプレッド、ドップラースプレッド、ドップラーシフト、平均遅延、および／または空間受信パラメータ等の１つ以上の特性を共有し得る。
【００４８】
一実施形態では、ＵＥはＳＣｅｌｌの障害を示すことのみを目的に、ＣＦＲＡ（非競合ランダムアクセス）信号が設定され得る。この場合、示された失敗は、ＵＥがＳＣｅｌｌ候補に対して、ＰＤＣＣＨの現在のＴＣＩＳｔａｔｅ（ＣＳＩ−ＲＳのＱＣＬ仮定を通じたＳＳＢ、ＣＳＩ−ＲＳ、ＳＳＢのいずれか）を仮定することを暗示する。ＵＥがＰＤＣＣＨに対してＴＣＩ状態を１つのみ有する場合、候補（ＳＣｅｌｌでの受信のための空間ＱＣＬ仮定に関する）は、当該ＴＣＩ状態であることが暗示される。ＰＤＣＣＨに複数のＴＣＩ状態がある場合、ＣＦＲＡ信号はＴＣＩ状態固有であってもよい。さらに、ＵＥが１つ以上のコンポーネントキャリアまたは帯域部間の信号について、同一の空間ＱＣＬ仮定を仮定する場合、ＵＥはＱＣＬ仮定が成立する各コンポーネントキャリアにおいて信号を受信するのに、同一の空間フィルタを使用し得る。同様に、ＣＳＩ−ＲＳ等の２つの信号が、空間ＲＸ  ＱＣＬ仮定を共有する場合、ＵＥは両信号の受信について、ＲＸビーム等の同一の空間受信フィルタを仮定し得る。さらに、ＵＥはドップラースプレッド等により、ＱＣＬが示された場合に、１つ以上の信号の１つ以上の特性を、別の信号に基づいて判定してもよい。マッピングは基準信号に直接行われてもよいし、プライマリＰＤＣＣＨ−ＴＣＩＳｔａｔｅについて現在設定されているＣＳＩ−ＲＳのＱＣＬ仮定を通じて行われてもよい。
【００４９】
別の実施形態では、ユーザー機器はＭＡＣ  ＣＥを使用して、セカンダリセルに障害が発生し、セカンダリセル上で示すのに有効な候補ビームがないことを標示してもよい。別の実施形態では、ユーザー機器は、ＳＣｅｌｌ候補ビームを使用して第１閾値を超える１つ以上のプライマリセル同期信号ブロックを示し、報告された最高のＳＳＢ（ＳＳＢリソースインデックス、またはＳＳＢ時間位置インデックス、各信号品質測定値もあり得る）を候補として選択し、報告された最高のＳＳＢブロックＲＸ方向に応じて受信空間フィルタを設定してもよい。一部の実施形態では、閾値ＴＨ１は、ＲＳＲＰ、ＲＳＲＱ、ＳＩＮＲを含むＳＳ／ＰＢＣＨブロック（ＳＳＢ）信号品質等のネットワーク設定候補ビーム選択閾値であり得る。一部の実施形態では、候補ビーム選択が閾値を超える場合、ＵＥはＳＳＢを潜在的なビーム失敗リカバリ候補と見なし得る。ユーザー機器がＭＡＣ  ＣＥシグリングにより複数の候補を示した場合、ユーザー機器は、ＳＣｅｌｌ  ＰＤＣＣＨ受信に対して、プライマリセルＳＳブロックの報告された最高のＳＳＢインデックス、すなわちプライマリセルＳＳＢの受信に使用されたのと同じＲＸビーム／空間フィルタ設定に応じた空間フィルタが、ＳＣｅｌｌ上でのＰＤＣＣＨの受信に使用されると仮定してもよい。あるいは、上述の実施形態の信号は、ＣＳＩ−ＲＳ信号でもあり得る。ユーザー機器は、対応するダウンリンク基準信号が所定の閾値を超える場合、特定の非競合リカバリリソースを優先し得る。しかし、利用不能であれば、ユーザー機器は、セカンダリセル失敗の標示と、もしあれば新候補に基づいて、ＭＡＣ  ＣＥに切り替える。ＭＡＣ  ＣＥは、本明細書に記載のように、ＰＣｅｌｌ信号がキャリア間ＱＣＬ仮定を有する場合に、ＰＣｅｌｌ信号上の測定値を使用して、ＳＣｅｌｌ候補を標示するために、上述と同様に使用され得る。
【００５０】
図５は、特定の実施形態に係るシステムの例を示す。一実施形態では、システムは、例えば、ユーザー機器５１０、ネットワークエンティティ５２０、およびネットワークエンティティ５３０等の複数のデバイスを備えてもよい。ネットワークエンティティ５２０およびネットワークエンティティ５３０は、それぞれプライマリサービングセルおよび／またはセカンダリサービングセルであってもよい。
【００５１】
ネットワークエンティティ５２０およびネットワークエンティティ５３０は、発展型ノードＢ（evolved node B：ｅＮＢ）または次世代ノードＢ（next generation node B：ｇＮＢ）等の基地局、次世代無線アクセスネットワーク（ＮＧ  ＲＡＮ）、サービングゲートウェイ、サーバ、および／または任意の他のアクセスノード、またはこれらの組合せの内の１つ以上であってもよい。さらに、市民ブロードバンド無線サービス（ＣＢＲＳ）デバイス（ＣＢＳＤ）が、ネットワークエンティティ５２０およびネットワークエンティティ５３０等の１つ以上のサービングセルを含んでもよい。ＵＥ５１０は、携帯電話、スマートフォン、携帯情報端末（Personal Digital Assistant：ＰＤＡ）、タブレット、またはポータブルメディアプレイヤ、デジタルカメラ、ポケットビデオカメラ、ビデオゲーム機、全地球測位システム（Global Positioning System：ＧＰＳ）デバイス等のナビゲーションユニット、デスクトップまたはノート型コンピュータ、センサーまたはスマートメーター等の単一場所デバイス、またはこれらの任意の組合せ等の１つ以上のモバイルデバイスを備えてもよい。
【００５２】
これらのデバイスの１つ以上が、それぞれ５１１、５２１、５３１として示される少なくとも１つのプロセッサを備えてもよい。少なくとも１つのメモリが、５１２、５２２、５３２として示される１つ以上のデバイスに提供されていてもよい。メモリは、固定式でも、着脱式でもよい。メモリは、内部に格納されたコンピュータプログラム命令またはコンピュータコードを含んでもよい。プロセッサ５１１、５２１、５３１およびメモリ５１２、５２２、５３２、またはこれらのサブセットは、図１から図４の各種ブロックに対応する手段を提供するよう構成されてもよい。図示されていないが、デバイスはさらに、その位置を決定するために用いられる、ＧＰＳや微小電気機械システム（Micro Electrical Mechanical System：ＭＥＭＳ）ハードウェア等の測位ハードウェアを備えてもよい。さらに、他のセンサーも設けられ、位置、高度、方位等を決定するために備えられてもよく、この例としては、気圧計、コンパス等が挙げられる。
【００５３】
図５に示すとおり、送受信機５１３、５２３、５３３が設けられ、１つ以上のデバイスはさらに、それぞれ５１４、５２４、５３４として示される少なくとも１つのアンテナを備えてもよい。このデバイスは、マルチ入力、マルチ出力（Multiple Input Multiple Output：ＭＩＭＯ）通信用に構成されたアンテナのアレイや、複数の無線アクセス技術用の複数のアンテナ等、多数のアンテナを有してもよい。例えば、これらのデバイスのその他の構成がさらに設けられてもよい。
【００５４】
送受信機５１３、５２３、５３３は、送信機、受信機、送信機と受信機の両方、または送信用および受信用に構成され得るユニットやデバイスであってもよい。
【００５５】
プロセッサ５１１、５２１、５３１は、中央処理装置（Central Processing Unit：ＣＰＵ）、特定用途向け集積回路（Application Specific Integrated Circuit：ＡＳＩＣ）、またはこれらと同等のデバイス等の任意の計算またはデータ処理デバイスによって実施されてもよい。プロセッサは、単一のコントローラとして実装されてもよいし、複数のコントローラまたはプロセッサとして実装されてもよい。
【００５６】
メモリ５１２、５２２、５３２は、それぞれ独立して、非一時的コンピュータ可読媒体等の任意の好適な記憶デバイスであってもよい。ハードディスクドライブ（ＨＤＤ）、ランダムアクセスメモリ（ＲＡＭ）、フラッシュメモリ、その他の好適なメモリが使用されてもよい。これらのメモリは、プロセッサとして１つの集積回路に組み合わされてもよいし、１つ以上のプロセッサとは別に設けられてもよい。さらに、メモリに保存され、プロセッサによって処理され得るコンピュータプログラム命令は、任意の好適なプログラミング言語で記述された、コンパイルまたは統合されたコンピュータプログラム等の、任意の好適なコンピュータプログラムコードの形式を取ってもよい。メモリは、着脱式でも、非着脱式でもよい。
【００５７】
コンピュータプログラム命令は、個別のデバイス用のプロセッサによって、ユーザー機器等のハードウェア装置に、以下に記載のプロセス（例えば、図１から図４を参照）のいずれかを実施させるように構成されていてもよい。したがって、特定の実施形態では、非一時的コンピュータ可読媒体が、ハードウェアにおいて実行されると、本明細書に記載のプロセスの１つ等のプロセスを実施するコンピュータ命令によって符号化されてもよい。あるいは、特定の実施形態は完全にハードウェア内で実施されてもよい。
【００５８】
特定の実施形態では、装置は、図１から図４に示されたプロセスまたは機能のいずれかを実施するように構成された回路体を備えてもよい。例えば、回路体は、アナログおよび／またはデジタル回路体等のハードウェアのみの回路実装であってもよい。別の例では、回路体は、アナログおよび／またはデジタルハードウェア回路（複数可）とソフトウェアまたはファームウェアの組合せ、および／またはソフトウェア（デジタル信号プロセッサ（複数可）を含む）を備えるハードウェアプロセッサ（複数可）の任意の一部、ソフトウェアの任意の一部、装置に、各種プロセスまたは機能を実施させるように協働する少なくとも１つのメモリの任意の一部等、ハードウェア回路とソフトウェアの組合せであってもよい。さらに別の例では、回路体は、動作のためのファームウェア等のソフトウェアを含む、マイクロプロセッサ（複数可）またはその一部等、ハードウェア回路（複数可）やプロセッサ（複数可）であってもよい。回路体中のソフトウェアは、ハードウェアの動作に必要でないときは存在しなくてもよい。
【００５９】
当業者であれば、上述の特定の実施形態は、順序を入れ替えたステップで実施され得ること、さらに／あるいは開示されているものとは異なる構成内のハードウェア要素で実施され得ることを容易に理解するであろう。したがって、本発明の主旨および範囲から逸脱することなく、特定の変形例、変更例、代替の構造が明白であることは当業者にとっては自明であろう。したがって、本発明の範囲を定めるためには、添付の請求の範囲を参照されたい。
【００６０】
用語の一部
３ＧＰＰ    （3rd Generation Partnership Project）第３世代パートナーシッププロジェクト
ＢＦＤ−ＲＳ    （Beam Failure Detection Reference Signal）ビーム失敗検出基準信号
ＢＦＲ        （Beam Failure Recovery）ビーム失敗リカバリ
ＢＦＲＱ    （Beam Failure Recovery Request）ビーム失敗リカバリ要求
ＢＬＥＲ    （Block Error Rate）ブロック誤り率
ＣＢＲＡ    （Contention-Based Random Access）競合式ランダムアクセス
ＣＢＲＡＣＨ    （Contention-Based Random Access Channel）競合式ランダムアクセスチャネル
ＣＥ        （Control Element）制御要素
ＣＦＲＡ    （Contention Free Random Access）非競合ランダムアクセス
ＣＯＲＥＳＥＴ    （Control Resource Set）制御リソースセット
ＣＳＩ−ＲＳ    （Channel State Information Reference Signal）チャネル状態情報基準信号
ＤＣＩ        （Downlink Control Information）ダウンリンク制御情報
ＤＭＲＳ    （Demodulation Reference Signal）復調基準信号
ＦＲ        （Frequency Range）周波数帯域
ｇＮＢ        （5G Node B）５ＧノードＢ
ＭＡＣ        （Medium Access Control）媒体アクセス制御
ＮＲ        （New Radio）新無線
ＰＢＣＨ    （Physical Broadcast Channel）物理ブロードキャストチャネル
ＰＣｅｌｌ    （Primary Cell）プライマリセル
ＰＤＣＣＨ    （Physical Downlink Control Channel）物理ダウンリンク制御チャネル
ＰＤＳＣＨ    （Physical Downlink Shared Channel）物理ダウンリンク共有チャネル
ＰＲＡＣＨ    （Physical Random Access Channel）物理ランダムアクセスチャネル
ＱＣＬ        （Quasi Co-Location）疑似同位置
ＱｏＳ        （Quality of Service）サービス品質
ＲＮＴＩ    （Radio Network Temporary Identifier）無線ネットワーク一時識別子
ＲＲＣ        （Radio Resource Control）無線リソース制御
ＲＳＲＰ    （Reference Signal Receive Power）基準信号受信電力
ＲＳＲＱ    （Reference Signal Receive Quality）基準信号受信品質
Ｒｘ        （Reception）受信
ＳＣｅｌｌ    （Secondary Cell）セカンダリセル
ＳＩＮＲ    （Signal-to-Interference-Plus-Noise Ratio）信号対干渉＋雑音比
ＳＳ        （Synchronization Signal）同期信号
ＳＳＢ        （Synchronization Signal Block）同期信号ブロック
ＳｐＣｅｌｌ    （Special Cell）スペシャルセル
ＴＣＩ        （Transmission Configuration Indication）送信設定標示
ＴＨ１        （First Threshold）第１の閾値
Ｔｘ        （Transmission）送信
ＵＥ        （User Equipment）ユーザー機器
【図１】
2021521750.tif 000003
【図２】
2021521750.tif 000004
【図３】
2021521750.tif 000005
【図４】
2021521750.tif 000006
【図５】
2021521750.tif 000007
【国際調査報告】
2021521750.tif 000008
2021521750.tif 000009
2021521750.tif 000010